(57)【要約】【課題】放送事業者及びユーザに好適なＣＭ再生制御を行う録画再生装置を提供する。【解決手段】録画再生装置において、制御部は、記憶部に記憶させたテレビジョン番組の映像信号及び音声信号を再生する際、ＣＭ情報を検出し、テレビジョン番組の再生回数に基づいてＣＭの再生について予め設定された再生モードから１つの再生モードを選択する。【選択図】図３
2009049516.tif 000002
【特許請求の範囲】
【請求項１】
同一タイトル名で複数回送信されるコンテンツを記憶する記憶手段と、
上記記憶手段に記憶されているコンテンツから特定情報を検出する特定情報検出手段と、
上記同一タイトル名のコンテンツの再生回数をカウントし、当該カウント値に応じて特定情報の再生を制御する制御手段と
を備えることを特徴とする録画再生装置。
【請求項２】
上記特定情報検出手段は、上記特定情報としてＣＭ情報を検出することを特徴とする請求項１記載の録画再生装置。
【請求項３】
上記タイトル名は、上記コンテンツの送信に対応して送信されるＥＰＧ（Electronic Program Guide）データに基づいて同一か否かが判定されることを特徴とする請求項１記載の録画再生装置。
【請求項４】
上記ＥＰＧデータからコンテンツのタイトル名を取得する取得手段と、
上記取得手段により取得されたタイトル名が類似するか否かを所定の類似度に基づいて判断する判断手段とをさらに備え、
上記判段手段により上記タイトル名が類似すると判断された場合、同一タイトル名と判定することを特徴とする請求項３記載の録画再生装置。
【請求項５】
上記記憶手段は、同一タイトル名に対し、当該同一タイトル名のコンテンツの再生回数と、同一タイトル名のコンテンツの内の最初に再生したコンテンツの録画日である基準録画日と、上記再生回数をリセットするための所定期間からなるリセット周期とが設けられた録画情報管理テーブルを有することを特徴とする請求項１記載の録画再生装置。
【請求項６】
上記制御手段は、上記基準録画日から再生しようとする上記コンテンツの録画日までの期間と上記リセット周期とを比較し、上記期間が上記リセット周期よりも長い場合には、上記再生回数をリセットすることを特徴とする請求項５記載の録画再生装置。
【請求項７】
上記制御手段は、上記カウント値が所定値以上である場合には、上記特定情報をスキップして上記コンテンツを再生するように制御することを特徴とする請求項１記載の録画再生装置。
【請求項８】
上記複数回送信されるコンテンツは、シリーズ番組であることを特徴とする請求項１記載の録画再生装置。
【請求項９】
同一タイトル名で複数回送信されるコンテンツを記憶し、
上記記憶されているコンテンツから特定情報を検出し、
上記同一タイトル名のコンテンツの再生回数をカウントし、当該カウント値に応じて特定情報の再生を制御する
ことを特徴とする録画再生方法。
【請求項１０】
同一タイトル名で複数回送信されるコンテンツを記憶し、
上記記憶されているコンテンツから特定情報を検出し、
上記同一タイトル名のコンテンツの再生回数をカウントし、当該カウント値に応じて特定情報の再生を制御する
ことを特徴とする録画再生処理をコンピュータに実行させるプログラム。
【発明の詳細な説明】
【技術分野】
【０００１】
本発明は、コマーシャル等の特定情報を含むコンテンツの録画及び再生を行う録画再生装置及び方法、並びにプログラムに関する。
【背景技術】
【０００２】
近年、テレビジョン番組の番組データからコマーシャル（以下、ＣＭと記載する。）部分を検出し、当該ＣＭ部分をスキップして再生するＣＭの再生制御技術が開発されている。また、日本国内においては、地上波アナログ放送から地上波デジタル放送への移行に伴い、据え置き型の受信装置だけでなく携帯電話装置等の移動体においても番組データを録画することが可能になり、ＣＭの再生制御機能の急速な普及が見込まれる。
【０００３】
従来より行われているＣＭの再生制御技術として、例えば、特許文献１には、番組データをＣＭのデータとともに記憶した記憶部から番組データを読み出して再生している場合に、ＣＭ部分の再生開始に応じて早送り指令が入力され、ＣＭ部分の終了に応じて再生指令が入力されたときは、再生指令が入力された時間から早送り指令が入力された時間を減算した時間長、早送り指令が入力された時間における再生中の画像、及びタイトル名を記憶部に記憶させ、再生中の画像と保存した画像とを比較して、両者の画像及びタイトル名が一致する場合には、記憶部に記憶させた時間長に基づいて、記憶部における読み出し位置をスキップする早送り動作を行う技術が記載されている。
【０００４】
また、例えば、特許文献２には、特定情報データ作成手段を備える送信装置と、データ蓄積再生手段と、再生回数記憶手段と、特定情報データ解析手段で得られる特定情報再生回数フィールドと再生回数記憶手段が記憶する特定情報再生実行回数とから特定情報の再生又は中止を実行するか否か判定する再生判定手段と、再生判定手段からの出力を受けて映像・音声の再生を制御する再生制御手段と、再生実行回数更新手段とを備える受信装置とを備え、送信装置において特定情報再生回数フィールドを設定することにより、受信装置においてＣＭ情報の確実な再生又は再生中止を可能とする技術が記載されている。
【０００５】
【特許文献１】特開２００７−１０４６３２号公報
【特許文献２】特開２００６−３１９９９８号公報
【発明の開示】
【発明が解決しようとする課題】
【０００６】
しかしながら、特許文献１に記載されているような従来のＣＭの再生制御技術においては、ＣＭ部分をスキップしたり再生を中止するため、ユーザが全くＣＭを視聴しなくなり、放送事業者にとって大きな問題となっていた。
【０００７】
また、特許文献２に記載の技術は、ＣＭ毎に再生回数及び有効期限を管理することにより、ＣＭを省略せずに確実に再生することが可能であるが、この特許文献２に記載の技術は、送信装置においてＣＭを識別するための識別子等の情報を多数付加するため、送信装置及び受信装置ともに複雑な構成を備えなければならない。
【０００８】
本発明は、このような従来の実情に鑑みて提案されたものであり、テレビジョン番組の番組データの送信側である放送事業者及び受信側であるユーザにとって好適なＣＭ再生制御を行う録画再生装置及び録画再生方法、並びに、録画再生処理をコンピュータに実行させるプログラムを提供することを目的とする。
【課題を解決するための手段】
【０００９】
上述した目的を達成するために、本発明に係る録画再生装置は、同一タイトル名で複数回送信されるコンテンツを記憶する記憶手段と、上記記憶手段に記憶されているコンテンツから特定情報を検出する特定情報検出手段と、上記同一タイトル名のコンテンツの再生回数をカウントし、当該カウント値に応じて特定情報の再生を制御する制御手段とを備えることを特徴とする。
【００１０】
また、上述した目的を達成するために、本発明に係る録画再生方法は、同一タイトル名で複数回送信されるコンテンツを記憶し、上記記憶されているコンテンツから特定情報を検出し、上記同一タイトル名のコンテンツの再生回数をカウントし、当該カウント値に応じて特定情報の再生を制御することを特徴とする。
【００１１】
また、上述した目的を達成するために、本発明に係るプログラムは、同一タイトル名で複数回送信されるコンテンツを記憶し、上記記憶されているコンテンツから特定情報を検出し、上記同一タイトル名のコンテンツの再生回数をカウントし、当該カウント値に応じて特定情報の再生を制御することを特徴とする録画再生処理をコンピュータに実行させるものである。
【発明の効果】
【００１２】
本発明によれば、同一タイトル名で複数回送信されるコンテンツを記憶し、上記記憶されているコンテンツから特定情報を検出し、上記同一タイトル名のコンテンツの再生回数をカウントし、当該カウント値に応じて特定情報の再生を制御することにより、簡易な構成で放送信号の送信側の放送事業者及び放送信号の受信側であるユーザにとって好適な特定情報の再生を実現することができる。
【発明を実施するための最良の形態】
【００１３】
以下、本発明を適用した具体的な実施の形態について、図面を参照しながら詳細に説明する。
【００１４】
図１は、本発明の一実施形態である録画再生装置１の構成を示す図である。録画再生装置１は、ユーザの操作に基づいて録画予約にされたテレビジョン番組を受信して録画する。また、録画再生装置１は、録画したテレビジョン番組を再生してコンテンツの映像信号及び音声信号をテレビジョン受像機等の表示装置（図示せず）に出力する。
【００１５】
録画再生装置１は、Ａ／Ｄ（Analog to Digital）変換部１２と接続されるアナログチューナ１１と、ディジタルチューナ１３と、ＣＯＤＥＣ（Compression／Decompression）１４と、信号処理部１５と、通信部１６と、操作入力部１７と、制御部１８と、記憶部１９とが、バス２０に接続されて構成される。
【００１６】
アナログチューナ１１は、アナログの放送信号を受信し、テレビジョン番組の映像信号及び音声信号をＡ／Ｄ変換部１２に供給する。
【００１７】
Ａ／Ｄ変換部１２は、アナログチューナ１１より入力されたコンテンツの映像信号及び音声信号をディジタル信号に変換してＣＯＤＥＣ（Compression／Decompression）１４に供給する。
【００１８】
ディジタルチューナ１３は、ディジタルの放送信号（地上ディジタル放送信号、ＢＳディジタル放送信号、ＣＳディジタル放送信号等）を受信し、テレビジョン番組の映像及び音声の再生が可能な符号化データをＣＯＤＥＣ１４に、又はバス２０を介して記憶部１９に供給する。また、ディジタルチューナ１３は、ディジタルの放送信号に対応して送信されるＥＰＧ（Electronic Program Guide）データを受信し、バス２０を介して制御部１８に供給する。
【００１９】
ＣＯＤＥＣ１４は、録画時、Ａ／Ｄ変換部１２より入力されるディジタルの映像信号及び音声信号を、ＭＰＥＧ（Moving Picture Expert Group）２等の方式に従って符号化し、得られた符号化データを、バス２０を介して記憶部１９に出力する。また、ＣＯＤＥＣ１４は、再生時、記憶部１９より読み出されてバス２０を介して入力される符号化データを復号し、得られた映像信号及び音声信号を信号処理部１５に供給する。なお、ＣＯＤＥＣ１４は、Ａ／Ｄ変換部１２より入力されるディジタルの映像信号及び音声信号をそのまま信号処理部１５に供給したり、ディジタルチューナ１３より入力される符号化データを復号し、これにより得られる映像信号及び音声信号を信号処理部１５に供給することも可能である。
【００２０】
信号処理部１５は、ＣＯＤＥＣ１４より入力される映像信号及び音声信号に所定の信号処理を施し、テレビジョン受像機等の表示装置に出力する。また、信号処理部１５は、操作入力部１７より入力される設定画面の映像信号に所定の信号処理を施し、この表示装置に出力する。
【００２１】
通信部１６は、インターネット等のネットワーク（図示せず）を介して所定のサーバに接続し、ＥＰＧデータを取得する。
【００２２】
操作入力部１７は、リモートコントローラ、本体に設けられたボタン等から成り、ユーザからの操作に対応して操作信号を発生し、バス２０を介して制御部１８に供給する。
【００２３】
制御部１８は、ＣＰＵ（Central Processing Unit）、ＲＡＭ（Random Access Memory）、ＲＯＭ（Read Only Memory）を有し、ＣＰＵがＲＯＭに記憶されている制御プログラムをＲＡＭ上で実行することにより、操作入力部１７より入力される操作信号に基づいて録画再生装置１の各部を制御する。また、制御部１８は、アナログチューナ１１又はディジタルチューナ１３によって受信されたＥＰＧデータ、又は通信部１６によって取得されたＥＰＧデータを記憶部１９に記憶させる。
【００２４】
記憶部１９は、ＨＤＤ（Hard Disc Drive）、ＤＶＤ（Digital Versatile Disc）等の記憶媒体と、この記憶媒体に対してデータの書き込み、読み出しを行うドライブとからなる。制御部１８は、ＣＯＤＥＣ１４よりバス２０を介して入力される符号化データを記憶部１９に記憶させる。また、制御部１８は、記憶部１９より符号化データを読み出し、バス２０を介してＣＯＤＥＣ１４に供給する。また、記憶部１９は、図２〜図６に示すテーブルを記憶領域の一部に備える。これらのテーブルには、ＣＭの再生制御を行うためのテレビジョン番組の各種情報が記憶される。
【００２５】
図２は、記憶部１９が備えるテレビジョン番組の各種情報を記憶するテーブルの一例を示す図である。
【００２６】
制御部１８は、例えば、ＥＰＧデータに基づいて表示される電子番組表を用いたユーザの操作により操作入力部１７より入力される操作信号に従い、テレビジョン番組の録画予約に関する録画予約データを生成してテーブル３１に記憶させる。この録画予約データには、録画する番組のタイトル名、再生回数、基準録画日、及びリセット周期が含まれる。
【００２７】
タイトル名は、録画されたテレビジョン番組のタイトル名であり、再生回数のカウント対象となる。このタイトル名は、例えば、操作入力部１７にてユーザの操作によって入力されたり、通信部１６にて取得されたＥＰＧデータより抽出されることにより取得される。なお、例えばユーザが放送チャンネル、放送開始時時刻、及び録画時間だけを入力して録画予約を設定した場合では、当該録画予約に対応するタイトル名が取得済のＥＰＧデータから検出されて、録画予約データに追加される。
【００２８】
制御部１８は、取得したタイトル名が互いに類似するか否かを所定の類似度に基づいて判断し、タイトル名が類似する場合には、テーブル３１上で同一タイトル名とみなして管理するようにしてもよい。例えば、「ＡＡＡ第一話」と「ＡＡＡ第二話」とは、シリーズ作名「ＡＡＡ」が一致することから、同じＣＭが放送されることが多いと判断して同一タイトル名として管理される。また、例えば「ロードショー『ＢＢＢ』」と「ロードショー『ＣＣＣ』」とは、「ロードショー」の部分は一致するものの、映画の作品名が「ＢＢＢ」と「ＣＣＣ」とで異なるため、異なるＣＭが放送されることが多いと判断してテーブル３１に別のタイトル名として管理される。
【００２９】
なお、テーブル３１には、録画時刻、ジャンル等のテレビジョン番組に関する種々の情報を記憶させることが可能であり、制御部１８は、これらの情報とＥＰＧデータに基づいてタイトル名が同一か否かを判断して同一タイトル名を管理するようにしてもよい。具体的には、同一タイトル名であっても録画時刻が異なる場合には、別々のテレビジョン番組として管理することが可能である。
【００３０】
再生回数は、特定のテレビジョン番組をユーザが視聴した回数を示すものであり、再生時に当該タイトル名が再生された場合にカウントされる。基準録画日は、同一タイトル名のテレビジョン番組の内、最初に再生したテレビジョン番組の録画日である。
【００３１】
リセット周期は、この再生回数をリセットするための予め定められた期間である。この期間内の録画日のコンテンツが再生される場合に再生回数がカウントされる。再生回数は、リセット周期の経過日に更新される。このように、リセット周期を設定して再生回数を更新することは、シリーズ番組が長期間放送される場合に有効である。すなわち、テレビジョン番組の内、例えば連続ドラマ、ニュース番組等のシリーズ番組の放送では同一のＣＭが放送されることが多いが、シリーズ番組の放送期間が長い場合には、スポンサーの変更等によりＣＭが変更されることがあるため、上記リセット周期を設定して再生回数を更新する必要がある。
【００３２】
制御部１８は、ユーザの入力操作に基づいて操作入力部１７より入力された信号に応じてテーブル３１に記憶されている録画予約データを変更することが可能である。
【００３３】
また、制御部１８は、テーブル３１に記憶されている録画予約データに従ってテレビジョン番組の録画が実行されるように、録画再生装置１の各部を制御する。
【００３４】
制御部１８は、記憶部１９に記憶させたテレビジョン番組の映像信号及び音声信号を再生する際、ＣＭ情報を検出し、テレビジョン番組の再生回数に基づいてＣＭの再生について予め設定された再生モードから１つの再生モードを選択する。
【００３５】
図３は、特定のテレビジョン番組におけるユーザの再生回数に応じたＣＭの再生モードが記憶されたテーブルの一例を示す図である。制御部１８は、テレビジョン番組の再生時、テーブル３２を参照し、対象となるテレビジョン番組を今回初めて再生させる場合、すなわち再生回数が１である場合には、ＣＭを通常再生するための制御信号を生成する。そして、制御部１８は、記憶部１９よりテレビジョン番組の映像信号及び音声信号の符号化データを読み出し、生成した制御信号を符号化データとともにバス２０を介してＣＯＤＥＣ１４に供給する。同様に、制御部１８は、再生回数が２である場合にはＣＭを早見再生するための制御信号を生成し、再生回数が３である場合にはＣＭを早送り再生するための制御信号を生成し、再生回数が４以上である場合にはＣＭをスキップ再生するための制御信号を生成し、それぞれ上述の符号化データとともにバス２０を介してＣＯＤＥＣ１４に供給する。なお、再生回数に対応する再生モードは、固定的に設定されても、ユーザの入力操作に基づいて設定されてもよい。
【００３６】
図４は、録画再生装置１が連続ドラマ等の連続して放送されるテレビジョン番組を定期的に録画した場合の録画済のテレビジョン番組のタイトル名が記憶されているテーブルの一例を示す図である。図４に示すように、テーブル３３には、テレビジョン番組のタイトル名として、連続ドラマ「ａｂｃｄ」第１話、連続ドラマ「ａｂｃｄ」第２話、連続ドラマ「ａｂｃｄ」第３話、連続ドラマ「ａｂｃｄ」第４話、連続ドラマ「ａｂｃｄ」第５話、・・・が記憶される。また、テーブル３３には、このテレビジョン番組のチャンネル、録画日、及び録画時刻が記憶される。
【００３７】
例えば、ユーザの操作により操作入力部１７より入力される操作信号に従い、テーブル３３にタイトル名が記憶されている連続ドラマ「ａｂｃｄ」第２話が再生された場合のように、制御部１８は、同一タイトル名のテレビジョン番組が２回再生された場合には、図５に示すように、テーブル３１に記憶されている再生回数を１から２に変更する。
【００３８】
また、例えば、基準録画日が５／５である連続ドラマ「ａｂｃｄ」第５話が再生された場合、連続ドラマ「ａｂｃｄ」第１話の基準録画日４／７から連続ドラマ「ａｂｃｄ」第５話の基準録画日５／５までの期間は、リセット周期の４週間を超えているため、制御部１８は、図６に示すように、テーブル３１に記憶されている基準録画日を４／７から５／５に変更し、再生回数をリセットして１とする。
【００３９】
なお、このリセット周期は、テレビジョン番組の録画頻度によって適宜設定することが可能である。例えば、毎日録画されるテレビジョン番組の場合はリセット周期を２週間に設定し、１週間に１度ずつ録画されるテレビジョン番組の場合はリセット周期を４週間に設定するようにしてもよい。また、リセット周期は、テレビジョン番組のジャンル等、テレビジョン番組に関する属性情報に応じて適宜設定するようにしてもよい。また、例えば、再生されたテレビジョン番組の録画日が基準録画日以前である場合には、当該テレビジョン番組の録画日から基準録画日までの期間に応じてＣＭ再生モードを設定するようにしてもよい。例えば、この期間が１ヶ月以内であれば、ＣＭをスキップ再生させ、この期間が１年以上であれば、ＣＭを通常再生させるというように、ユーザの嗜好に応じて適宜設定することが可能である。
【００４０】
図７は、制御部１８が行うＣＭ再生モードの設定処理を説明するためのフローチャートである。
【００４１】
ステップＳ１において、制御部１８は、テレビジョン番組の再生処理を開始する。
【００４２】
ステップＳ２において、制御部１８は、ユーザの操作に基づいて操作入力部１７により入力されたタイトル名Ａを再生する。
【００４３】
ステップＳ３において、制御部１８は、タイトル名Ａがテーブル３１にあるか否かを判断する。制御部１８は、このステップＳ３において、タイトル名Ａがテーブル３１にあると判断した場合にはステップＳ４に進み、タイトル名Ａがテーブル３１にないと判断した場合にはステップＳ７に進む。
【００４４】
ステップＳ４において、制御部１８は、Ａの録画日が基準録画日からリセット周期を経過したか否かを判断する。制御部１８は、このステップＳ４において、Ａの録画日が基準録画日からリセット周期を経過したと判断した場合にはステップＳ５に進み、Ａの録画日が基準録画日からリセット周期を経過していないと判断した場合にはステップＳ８に進む。
【００４５】
ステップＳ５において、制御部１８は、再生回数を０にリセットする。
【００４６】
ステップＳ６において、制御部１８は、基準録画日をタイトル名Ａであるテレビジョン番組の録画日に変更する。
【００４７】
ステップＳ７において、制御部１８は、テーブル３１のタイトル名にＡを、再生回数に１を、基準録画日にＡの録画日を記憶させる。
【００４８】
ステップＳ８において、制御部１８は、テーブル３１における再生回数のカウントを１増やす。
【００４９】
ステップＳ９において、制御部１８は、ＣＭの再生モードをテーブル３２に記憶されている情報に従った再生モードに設定する。
【００５０】
ステップＳ１０において、制御部１８は、テレビジョン番組の再生処理を終了する。
【００５１】
図８は、信号処理部１５の機能的な構成を示す図である。
【００５２】
信号処理部１５は、時計部１５Ａと、ＣＭ検出部１５Ｂと、再生制御部１５Ｃとを備えて構成される。
【００５３】
時計部１５Ａは、時刻を表す時間信号ｔを発生し、この時間信号ｔをＣＭ検出部１５Ｂに供給する。
【００５４】
ＣＭ検出部１５Ｂは、ＣＯＤＥＣ１４より映像信号及び音声信号が、また、時計部１５Ａより時間信号ｔが供給されると、映像信号及び音声信号に含まれるＣＭ区間を検出し、その開始時刻と長さをＣＭ検出信号ａ１として再生制御部１５Ｃに供給する。
【００５５】
また、ＣＭ検出部１５Ｂには、バス２０を介してアナログチューナ１１及びディジタルチューナ１３から同調された放送チャンネルを示すチャンネル情報も供給される。チャンネル情報は、ＣＭが含まれない放送チャンネルが指定されたか否かを、ＣＭ検出部１５Ｂにおいて判断するために用いられる。すなわち、ＣＭ検出部１５Ｂは、チャンネル情報により、アナログチューナ１１及びディジタルチューナ１３において明らかにＣＭが放送されない放送チャンネルの指定がなされていると判断した場合、このＣＭ検出動作を行わないようにする。なお、ここでは、ＣＭ検出部１５Ｂがチャンネル情報に基づいてＣＭ検出動作を行うか否か判断することとしているが、アナログチューナ１１又はディジタルチューナ１３がチャンネル情報によりＣＭ検出部１５ＢでのＣＭ検出動作を制御するようにしてもよい。
【００５６】
このように、録画再生装置１は、簡易な構成でテレビジョン番組の再生回数に応じて映像信号及び音声信号に含まれるＣＭの再生モードを設定し、当該再生モードに応じてＣＭの再生制御を行うことが可能であり、特に、連続ドラマ、ニュース番組等のシリーズ番組において、同一のＣＭが長期間に放送される場合等に、例えばユーザが１回目にテレビジョン番組を視聴する際には自動的にＣＭをスキップせず、視聴を促すように設定することが可能であり、放送信号の受信側であるユーザ及び送信側の放送局の両者にとって好適なＣＭ再生を実現することができる。
【００５７】
なお、本発明は上述した実施の形態のみに限定されるものではなく、本発明の要旨を逸脱しない範囲において種々の変更が可能であることは勿論である。
【００５８】
上述した一連の処理は、ハードウェアによって実現させてもソフトウェアによって実現させてもよい。一連の処理をソフトウェアによって実現させる場合には、そのソフトウェアを構成するプログラムがコンピュータによりインストールされ、そのプログラムがコンピュータで実行されることにより実現される。
【００５９】
また、上述の実施の形態では、アナログチューナ及びディジタルチューナより受信したテレビジョン番組の放送信号に含まれるＣＭの再生制御処理を行うようにしたが、例えばインターネットから配信されるコンテンツに含まれるＣＭの再生制御処理を行うようにしてもよい。
【図面の簡単な説明】
【００６０】
【図１】本発明の一実施形態である録画再生装置の構成を示す図である。
【図２】記憶部が備えるテレビジョン番組の各種情報を記憶するテーブルの一例を示す図である。
【図３】テレビジョン番組の再生回数に対応するＣＭの再生モードを記憶するテーブルの一例を示す図である。
【図４】記憶部が備えるテレビジョン番組の各種情報を記憶するテーブルの一例を示す図である。
【図５】記憶部が備えるテレビジョン番組の各種情報を記憶するテーブルの一例を示す図である。
【図６】記憶部が備えるテレビジョン番組の各種情報を記憶するテーブルの一例を示す図である。
【図７】ＣＭ再生モードの設定処理を説明するためのフローチャートである。
【図８】信号処理部の構成を示す図である。
【符号の説明】
【００６１】
１  録画再生装置、１１  アナログチューナ、１２  Ａ／Ｄ変換部、１３  ディジタルチューナ、１４  ＣＯＤＥＣ、１５  信号処理部、１６  通信部、１７  操作入力部、１８  制御部、１９  記憶部、２０  バス
【図１】
2009049516.tif 000003
【図２】
2009049516.tif 000004
【図３】
2009049516.tif 000005
【図４】
2009049516.tif 000006
【図５】
2009049516.tif 000007
【図６】
2009049516.tif 000008
【図７】
2009049516.tif 000009
【図８】
2009049516.tif 000010